(57)【要約】【課題】  リールの回転を停止させる際に生じるリールの振動を抑制するとともに、遊技店の従業員等によるメンテナンスに係る作業量を軽減することができる遊技機を提供する。【解決手段】  遊技機１が、箱状に形成された筐体１Ａと、該筐体１Ａの正面側に開閉可能に取り付けられた前面扉１Ｂと、筐体１Ａの内部に設けられ、複数の図柄が外周面に付されたリール３と、リール３を回転させるモータ駆動装置（ステッピングモータ４９）とを具備し、リール３の外周面に接するように筐体１Ａの内部に固定され、該リールの回転を停止させる際に発生する振動を抑制する振動抑制部材９０を具備することを要旨とする。【選択図】      図３
2005237467.tif 000002
【特許請求の範囲】
【請求項１】
箱状に形成された筐体と、前記筐体の内部に設けられ、複数の図柄が外周面に付されたリールと、前記リールを回転させるモータ駆動装置とを具備する遊技機であって、
前記リールの外周面に接するように前記筐体の内部に固定され、該リールの回転を停止させる際に発生する振動を抑制する振動抑制部材を具備することを特徴とする遊技機。
【請求項２】
箱状に形成された筐体と、該筐体の正面側に開閉可能に取り付けられた前面扉と、前記筐体の内部に設けられ、複数の図柄が外周面に付されたリールと、前記リールを回転させるモータ駆動装置とを具備する遊技機であって、
前記前面扉を閉じた際に前記リールの外周面に接するように該前面扉に固定され、該リールの回転を停止させる際に発生する振動を抑制する振動抑制部材を具備することを特徴とする遊技機。
【請求項３】
前記リールの外周面に付された前記複数の図柄を前記筐体の正面側から視認できるように構成された表示窓を具備し、
前記振動抑制部材は、前記筐体の正面側から前記表示窓を介して視認できない位置に固定されていることを特徴とする請求項１又は請求項２に記載の遊技機。
【発明の詳細な説明】
【技術分野】
【０００１】
本発明は、複数の図柄が外周面に付されたリールと、該リールを回転させるモータ駆動装置とを具備する遊技機に関する。
【背景技術】
【０００２】
従来のパチスロ遊技機は、箱状に形成された筐体と、該筐体の正面側に開閉可能に取り付けられた前面扉とを具備する。筐体の内部には、複数種類の図柄（例えば、ＢＡＲ、チェリー、ベルなどの図柄）が外周面に付された３個のリールと、該３個リールをそれぞれ回転させるモータ駆動装置とが設けられている。また、前面扉には、３個のリールを視認できるように構成された表示窓と、３個のリールの回転を開始するためのスタートレバーと、３個のリールを停止させるための停止ボタンとが設けられている。
【０００３】
このように構成されたパチスロ遊技機は、遊技者によってスタートレバーの操作が行われると、所定の役（ＢＢやＲＢ等）を当選役として決定するとともに、リールの回転を開始し、遊技者によって停止ボタンの操作が行われると、決定した当選役に応じてリールの回転を停止する（停止制御を行う）ように構成されている。また、パチスロ遊技機は、３個のリールの回転が停止した際に、表示窓を介して視認される図柄の組合せが、当選役に係る図柄の組合せとなった場合に、所定枚数のコイン数を払い出すように構成されている。
【０００４】
ここで、複数種類の図柄が付されたリールの外周面は、遊技機の稼働によって汚れるため、遊技店の従業員等は、リールの外周面をクリーニングする（例えば、所定の布材（雑巾など）を用いて拭き取る）というメンテナンスを毎日行っている。
【０００５】
ところで、リールを回転させるモータ駆動装置の種類としては、ステッピングモータの駆動軸が直接リールの中心穴に圧入され、ステッピングモータの駆動軸を中心としてリールを回転させる直接方式のモータ駆動装置（例えば、特許文献１）と、リールの回転軸を中心として回転する第１のギヤと、ステッピングモータの駆動軸を中心として回転する第２のギヤとによって、ステッピングモータの回転トルクをリールに伝達して、リール回転させる間接方式のモータ駆動装置とが知られている。なお、直動方式のモータ駆動装置よりも安価なステッピングモータを用いることができるため、間接方式のモータ駆動装置を採用したパチスロ遊技機が近年増えている。
【特許文献１】特開平１０−７１２４０号公報
【発明の開示】
【発明が解決しようとする課題】
【０００６】
しかしながら、上述のパチスロ遊技機においては、遊技者によって停止ボタンの操作が行われると、当選役に応じてリールの回転を停止させる停止制御が行われているため、リールの回転を停止させる際に、リールの振動が生じるという問題があった。特に、間接方式のモータ駆動装置を採用する遊技機においては、第２のギヤから第１のギヤにステッピングモータの回転トルクが伝達されることによってリールを回転させているため、該第１のギヤと該第２のギヤとによるバックラッシュに起因する振動が生じ、直接方式のモータ駆動装置よりも、リールを停止させる際に生じるリールの振動が大きくなる。
【０００７】
一方、遊技店に設置されているパチスロ遊技機は年々増加しているため、遊技店の従業員等によるメンテナンス（リールの外周面のクリーニング）に係る作業量が増加してしまうという問題があった。
【０００８】
そこで、本発明は、上述の問題を解決するためになされたものであり、リールの回転を停止させる際に生じるリールの振動を抑制するとともに、遊技店の従業員等によるメンテナンスに係る作業量を軽減することができる遊技機を提供することを目的とする。
【課題を解決するための手段】
【０００９】
本発明の第１の特徴は、遊技機が、箱状に形成された筐体と、該筐体の正面側に開閉可能に取り付けられた前面扉と、筐体の内部に設けられ、複数の図柄が外周面に付されたリールと、リールを回転させるモータ駆動装置とを具備し、リールの外周面に接するように筐体の内部に固定され、該リールの回転を停止させる際に発生する振動を抑制する振動抑制部材を具備することを要旨とする。
【００１０】
かかる特徴によれば、振動抑制部材が、リールの外周面に接するように筐体の内部に固定されていることによって、当選役に応じてリールの回転が停止される際に発生する振動を抑制することができるとともに、遊技機の稼働によって汚れてくるリールの外周面をクリーニングすることができる。
【００１１】
本発明の第２の特徴は、遊技機が、箱状に形成された筐体と、該筐体の正面側に開閉可能に取り付けられた前面扉と、筐体の内部に設けられ、複数の図柄が外周面に付されたリールと、リールを回転させるモータ駆動装置とを具備し、前面扉を閉じた際にリールの外周面に接するように該前面扉に固定され、該リールの回転を停止させる際に発生する振動を抑制する振動抑制部材を具備することを要旨とする。
【００１２】
かかる特徴によれば、振動抑制部材が、前面扉を閉じた際にリールの外周面に接するように前面扉に固定されていることによって、当選役に応じてリールの回転が停止される際に発生する振動を抑制することができるとともに、遊技機の稼働によって汚れてくるリールの外周面をクリーニングすることができる。
【００１３】
また、振動抑制部材が、前面扉に固定されていることによって、従業員等は、該前面扉を開けた際に、リールの外周面と接する振動抑制部材の部分（リールの外周面をクリーニングする振動抑制部材の部分）が汚れているか否かを視認できる。これにより、従業員等は、振動抑制部材の交換時期を容易に把握することができる。
【００１４】
本発明の第３の特徴は、本発明の第１又は第２の特徴において、前面扉には、リールの外周面に付された複数の図柄を該前面扉の正面側から視認できるように構成された表示窓が設けられ、振動抑制部材は、前面扉の正面側から表示窓を介して視認できない位置に固定されていることを要旨とする。
【００１５】
かかる特徴によれば、振動抑制部材は、前面扉に設けられている表示窓から視認できないように固定されていることによって、遊技者は、リールの外周面に付された複数の図柄（当選役）を、振動抑制部材によって妨げられることなく、視認することができる。
【発明の効果】
【００１６】
本発明によれば、リールの回転を停止させる際に生じるリールの振動を抑制するとともに、遊技店の従業員等によるメンテナンスに係る作業量を軽減することができる遊技機を提供することができる。
【発明を実施するための最良の形態】
【００１７】
以下、本発明に実施するための最良の形態を、図面を参照しつつさらに具体的に説明する。ここで、添付図面において同一の部材には同一の符号を付しており、また、重複した説明は省略される。なお、ここでの説明は本発明が実施される最良の形態であることから、本発明は当該形態に限定されるものではない。
【実施例１】
【００１８】
（遊技機の構成）
図１は、本実施例における遊技機１の外観を示す斜視図である。遊技機１は、コイン、メダル又はトークンなどの他、遊技者に付与される遊技価値を記憶したカード等の遊技媒体を用いて遊技する遊技機であるが、以下ではメダルを用いるものとして説明する。
【００１９】
遊技機１は、箱状に形成された筐体１Ａと、該筐体１Ａの正面側に開閉可能に取り付けられた前面扉１Ｂとによって構成されている。前面扉１Ｂの正面には、略垂直面としてのパネル表示部２が形成され、その中央には、後述する３個のリール３Ｌ，３Ｃ，３Ｒの外周面に付された複数の図柄を該前面扉１Ｂの正面側から視認できるように構成された表示窓４Ｌ，４Ｃ，４Ｒが設けられる。表示窓４Ｌ，４Ｃ，４Ｒを介して視認される図柄は、クロスダウンライン８ａ、トップライン８ｂ、センターライン８ｃ、ボトムライン８ｄ及びクロスアップライン８ｅを構成する。
【００２０】
これらの入賞ラインは、後述する１−ＢＥＴスイッチ１１、２−ＢＥＴスイッチ１２又は最大ＢＥＴスイッチ１３を操作すること、或いはメダル投入口２２に所定枚数のメダルを投入することにより、それぞれ１本、３本、５本が有効化される。どの入賞ラインが有効化されたかは、後述するＢＥＴランプ９ａ、９ｂ、９ｃの点灯によって遊技者に報知される。
【００２１】
筐体１Ａの内部には、各々の外周面に複数種類の図柄（例えば、ベルやチェリーの図柄）が付された３個のリール３Ｌ，３Ｃ，３Ｒが回転自在に横一列に設けられている。なお、３個のリール３Ｌ，３Ｃ，３Ｒは、それぞれのリール毎に設けられたモータ駆動装置（以下、ステッピングモータ）を駆動することによって回転する。各リールの図柄は、表示窓４Ｌ，４Ｃ，４Ｒを介して視認できるようになっている。なお、各リールは、定速回転（例えば、８０回転／分）で回転する。
【００２２】
表示窓４Ｌ，４Ｃ，４Ｒの左側には、１−ＢＥＴランプ９ａ、２−ＢＥＴランプ９ｂ、最大ＢＥＴランプ９ｃ、クレジット表示部１９が設けられている。１−ＢＥＴランプ９ａ、２−ＢＥＴランプ９ｂ及び最大ＢＥＴランプ９ｃは、１回のゲームに賭けられたメダルの数（以下、「ＢＥＴ数」という）に応じて点灯する。
【００２３】
具体的には、１−ＢＥＴランプ９ａは、ＢＥＴ数が“１”である場合（１本の入賞ラインが有効化された場合）に点灯し、２−ＢＥＴランプ９ｂは、ＢＥＴ数が“２”である場合（３本の入賞ラインが有効化された場合）に点灯し、最大ＢＥＴランプ９ｃは、ＢＥＴ数が“３”である場合（全て（５本）の入賞ラインが有効化された場合）に点灯する。また、クレジット表示部１９は、７セグメントＬＥＤから成り、貯留されているメダルの枚数を表示する。なお、本実施例において、１回のゲームは、全てのリールが停止した場合に終了するものとする。
【００２４】
表示窓４Ｌ，４Ｃ，４Ｒの右側には、当り表示ランプ（いわゆるＷＩＮランプ）１７及び７セグメントのランプによって構成された払出表示部１８が設けられている。具体的には、当り表示ランプ１７は、「ＢＢ」又は「ＲＢ」が入賞可能となった後、「ＢＢ」又は「ＲＢ」が実際に入賞するまでの間、点灯する。また、払出表示部１８には、所定の役が入賞した際に配当として払い出されるメダルの枚数が表示される。
【００２５】
パネル表示部２の右側上部には、７セグメントのランプによって構成されたボーナス遊技情報表示部２０が設けられている。また、ボーナス遊技情報表示部２０には、ボーナス状態における残りゲームの回数等を表示する。表示窓４Ｌ，４Ｃ，４Ｒの下方には、液晶表示装置５が設けられた台座部１０が形成されている。なお、液晶表示装置５の表示画面５ａには、遊技状態に応じた演出画像等が表示される。
【００２６】
液晶表示装置５の右側には、メダルが投入されるメダル投入口２２が設けられている。また、液晶表示装置５の左側には、１−ＢＥＴスイッチ１１、２−ＢＥＴスイッチ１２及び最大ＢＥＴスイッチ１３が設けられている。具体的には、１−ＢＥＴスイッチ１１は、クレジットされているメダルのうち、１枚のメダルを１回のゲームに賭けるためのスイッチであり、２−ＢＥＴスイッチ１２は、クレジットされているメダルのうち、２枚のメダルを１回のゲームに賭けるためのスイッチであり、最大ＢＥＴスイッチ１３は、クレジットされているメダルのうち、１回のゲームに賭けることが可能な最大枚数のメダルを賭けるためのスイッチである。なお、これらのＢＥＴスイッチを操作することによって、上述した所定の入賞ラインが有効化される。
【００２７】
台座部１０の前面部の左寄りには、遊技者がゲームで獲得したメダルのクレジット／払い出しを押しボタン操作で切り替えるＣ／Ｐスイッチ１４が設けられている。このＣ／Ｐスイッチ１４の切り替えにより、正面下部のメダル払出口１５からメダルが払い出され、払い出されたメダルはメダル受け部１６に溜められる。Ｃ／Ｐスイッチ１４の右側には、遊技者の操作によりリール３Ｌ，３Ｃ，３Ｒを回転させ、表示窓４Ｌ，４Ｃ，４Ｒを介して視認される図柄の変動表示を開始するためのスタートレバー６が、所定の角度範囲で回動自在に取り付けられている。
【００２８】
前面扉１Ｂの上方の左右には、遊技状態に応じた効果音等を出力するスピーカ２１Ｌ，２１Ｒが設けられ、このスピーカ２１Ｌ，２１Ｒの間には、入賞図柄の組合せ及びメダルの配当枚数等を表示する配当表パネル２３が設けられている。台座部１０の前面部中央であって、液晶表示装置５の下方には、３個のリール３Ｌ，３Ｃ，３Ｒの回転をそれぞれ停止させるための３個の停止ボタン７Ｌ，７Ｃ，７Ｒが設けられている。
【００２９】
図２は、本実施例における遊技機１の内部を示す図である。同図に示すように、筐体１Ａの中央には、リールユニット３００が設けられている。また、リールユニット３００は、リール３Ｌ，３Ｃ，３Ｒ、該リール３Ｌ，３Ｃ，３Ｒを回転させるステッピングモータ、及び、該リール３Ｌ，３Ｃ，３Ｒ及びステッピングモータを取り付けるための取付板８０Ｌ，８０Ｃ，８０Ｒなどによって構成されている。
【００３０】
リール３Ｌ，３Ｃ，３Ｒの下側には、該リール３Ｌ，３Ｃ，３Ｒの停止時に発生する振動を抑制する振動抑制部材９０Ｌ，９０Ｃ，９０Ｒが、筐体１Ａの内部の取付板８０Ｌ，８０Ｃ，８０Ｒに固定されている。なお、振動抑制部材９０Ｌ，９０Ｃ，９０Ｒは、前面扉１Ｂの正面側から表示窓４Ｌ，４Ｃ，４Ｒを介して視認できない位置に設けられているものとする。詳細については、後述する（図３）。
【００３１】
リールユニット３００の下側には、遊技者によって獲得されたメダルを払い出すホッパー４０が中央に設けられている。ホッパー４０の右側には、ホッパー４０からあふれ出したメダルが入るメダル補助収納庫４２が設けられている。
【００３２】
また、ホッパー４０の左側には、遊技機１に電力を供給する電源ユニット等を保護する電源用ハウジング４４が設けられている。なお、電源用ハウジング４４の内部には、遊技機１における各種設定を初期化するためのリセットスイッチ、「ＢＢ」や「ＲＢ」が当選役として決定される確率（当選確率）を調整するための設定スイッチ等が設けられている。
【００３３】
一方、前面扉１Ｂの内部（裏面側）の上側には、上述した遊技状態に応じた効果音等を出力するスピーカ２１Ｌ，２１Ｒなどが設けられ、前面扉１Ｂの中央には、３個のリール３Ｌ，３Ｃ，３Ｒを視認できるように、上述した表示窓４Ｌ，４Ｃ，４Ｒ（以下、表示窓４）が設けられている。
【００３４】
図３は、本実施例におけるリールユニット３００の構成を示す斜視図である。なお、以下においては、リール３Ｌ，３Ｃ，３Ｒ、ステッピングモータ４９Ｌ，４９Ｃ，４９Ｒ、取付板８０Ｌ，８０Ｃ，８０Ｒ及び振動抑制部材９０Ｌ，９０Ｃ，９０Ｒは、それぞれ同様の構成となっているため、それぞれ、リール３Ｌ（以下、リール３）、ステッピングモータ４９Ｌ（以下、ステッピングモータ４９）、取付板８０Ｌ（以下、取付板８０）及び振動抑制部材９０Ｌ（以下、振動抑制部材９０）を例に説明する。
【００３５】
同図に示すように、リールユニット３００は、リール３と、該リール３を取り付けるための取付板８０と、該リール３を回転させるステッピングモータ４９と、該ステッピングモータ４９の回転トルクをリール３に伝達する減速伝達機構７００と、振動抑制部材９０とによって構成されている。また、減速伝達機構７００は、ステッピングモータ４９の駆動軸４９ｏを中心とする出力側ギヤ７１と、リール３の回転軸３ｏを中心とする入力側ギヤ７２とによって構成されている。
【００３６】
振動抑制部材９０は、リール３の外周面に接するように取付板８０の底面板８０ａに固定されている。また、振動抑制部材９０は、前面扉１Ｂの正面側から表示窓４を介して視認できない位置に固定されているものとする。なお、振動抑制部材９０は、リール３の回転を停止する際に発生する振動を抑制可能であって、リール３の外周面の汚れを拭き取ることができる軟性部材（例えば、スポンジ、ゴム、フェルト）によって形成されているものとする。また、振動抑制部材９０は、ボンドや接着剤などによって取付板８０の底面板８０ａに固定されているものとする。
【００３７】
図４は、リールユニット３００の構成を示す側面図である。なお、同図においては、上述した取付板８０は省略されている。
【００３８】
リール３は、該リール３の回転軸３ｏから放射状に延びた６本のアーム５５と、該アーム５５の延長方向の先端にわたるように、該アーム５５と一体的に形成された筒状部材５６とによって構成されている。
【００３９】
６本のアーム５５のうち、１本のアームには、リール３が回転することによって、位置検出センサ５８を通過する位置に検出片５９が設けられている。位置検出センサ５８は、リール３が１回転する毎に検出片５９の通過を検出し、後述するリール位置検出回路５０に検出結果を出力する。
【００４０】
振動抑制部材９０は、リール３に接する位置に固定され、リール３が回転することによって、リール３の外周面の汚れを拭き取るとともに、リール３の回転が停止する際に発生するリール３の振動を抑制する。
【００４１】
図５は、遊技機１の制御回路の構成を示すブロック図である。同図に示すように、遊技機１の制御回路は、主制御回路７５と、モータ駆動回路３９と、ホッパー駆動回路４１と、ランプ駆動回路４５と、リール停止信号回路４６と、表示部駆動回路４８と、リール位置検出回路５０と、払出完了信号回路５１と、副制御回路７６とによって構成されている。
【００４２】
主制御回路７５は、マイクロコンピュータ３０と、所定の乱数をサンプリングするのための回路とによって構成されている。なお、所定の乱数とは、当選役を決定する際に用いる乱数などである。
【００４３】
マイクロコンピュータ３０は、所定のプログラムに基づいて所定の処理（当選役の決定等）を行うＣＰＵ３１と、該所定のプログラムや所定のテーブル群等を記憶するＲＯＭ３２と、遊技状態に応じた所定の情報（当選役を示す当選役フラグ等）や副制御回路７６に送信される所定のコマンド等を記憶するＲＡＭ３３と、上述した各回路などとのインターフェースとなるＩ／Ｏポート３８とによって構成されている。
【００４４】
なお、テーブル群とは、スタートレバー６の操作（スタート操作）に応じて抽出された乱数に基づいて、当選役を決定するために用いる確率抽選テーブル、停止ボタン７Ｌ，７Ｃ，７Ｌの操作に応じて入賞ライン上に停止させる図柄を決定するために用いる停止テーブル、当選役と該当選役に対する配当として払い出されるメダルの枚数とが関連づけられた配当テーブルなどである。また、所定のコマンドとは、当選役の種類を示すコマンドやリールが停止したことを示すコマンド等である。
【００４５】
所定の乱数をサンプリングするための回路は、基準となるクロックパルスを発生するクロックパルス発生回路３４及び分周器３５と、所定の乱数を発生する乱数発生器３６と、乱数発生器３６によって発生された乱数を抽出（サンプリング）するサンプリング回路３７とが接続されている。なお、この回路は、マイクロコンピュータ３０に含まれていてもよい。
【００４６】
モータ駆動回路３９は、リール３Ｌ，３Ｃ，３Ｒを回転させるステッピングモータ４９Ｌ，４９Ｃ，４９Ｒを駆動する回路であり、ホッパー駆動回路４１は、当選役の入賞に応じて所定枚数のメダルを払い出すホッパー４０を駆動する回路であり、ランプ駆動回路４５は、上述した各種ランプ（１−ＢＥＴランプ９ａ、２−ＢＥＴランプ９ｂ、最大ＢＥＴランプ９ｃ、当り表示ランプ１７）を点灯（消灯）させる回路である。また、リール停止信号回路４６は、各停止ボタン７Ｌ，７Ｃ，７Ｒに対する遊技者の操作を検出するとともに、検出結果に応じて停止信号を発生する回路であり、表示部駆動回路４８は、上述した各表示部（払出表示部１８，クレジット表示部１９及びボーナス遊技情報表示部２０）を点灯（消灯）させる回路である。さらに、リール位置検出回路５０は、位置検出センサ５８からのパルス信号に基づいて各リール３Ｌ，３Ｃ，３Ｒの位置を検出する回路であり、払出完了信号回路５１は、メダル検出部４０Ｓによって検出されたメダルの枚数（ホッパー４０から払い出されたメダルの枚数）が指定された枚数に達した際に、メダルの払い出しが完了したことを示すメダル払出信号を発生する回路である。
【００４７】
副制御回路７６は、主制御回路７５から出力された各種コマンドに基づいて、液晶表示装置５に表示する演出画像を決定するとともに、決定した演出画像に応じた所定の効果音等（スピーカ２１Ｌ，２１Ｒから出力する効果音等）を決定する。
【００４８】
また、マイクロコンピュータ３０には、スタートスイッチ６Ｓ、１−ＢＥＴスイッチ１１、２−ＢＥＴスイッチ１２、最大ＢＥＴスイッチ１３、Ｃ／Ｐスイッチ１４、投入メダルセンサ２２Ｓが接続されている。なお、スタートスイッチ６Ｓとは、スタートレバー６に対する遊技者の操作を検出し、投入メダルセンサ２２Ｓとは、メダル投入口２２に投入されたメダルを検出するものである。
【００４９】
本実施例において、振動抑制部材９０Ｌ，９０Ｃ，９０Ｒは、リール３Ｌ，３Ｃ，３Ｒの下側にそれぞれ接する位置に固定されているが、これに限定されるものではなく、リール３Ｌ，３Ｃ，３Ｒに接する位置（例えば、リール３Ｌ，３Ｃ，３Ｒの上側）に固定されていればよい。
【００５０】
また、本実施例において、振動抑制部材９０Ｌ，９０Ｃ，９０Ｒは、別々に形成されているが、これに限定されるものではなく、一体的に形成されていてもよい。
【００５１】
さらに、本実施例において、リール９０Ｌ，９０Ｃ，９０Ｒの駆動方式は、間接方式（ステッピングモータの回転トルクが所定のギヤ（出力側ギヤ７１及び入力側ギヤ７２）を介して、リールの回転軸３ｏに伝達される方式）であるものとして説明したが、これに限定されるものではなく、直接方式（ステッピングモータの回転トルクが直接リールの回転軸３ｏに伝達される方式）であってもよい。
【００５２】
（遊技機の作用、及び、効果）
本実施例における遊技機１によれば、振動抑制部材９０が、リール３の外周面に接するように筐体１Ａの内部に固定されていることによって、当選役に応じてリール３の回転が停止される際に発生する振動を抑制することができるとともに、遊技機１の稼働によって汚れてくるリール３の外周面をクリーニングすることができる。
【００５３】
また、本実施例における遊技機１によれば、振動抑制部材９０は、前面扉１Ｂに設けられている表示窓４から視認できないように固定されていることによって、遊技者は、リール３の外周面に付された複数の図柄（当選役）を、振動抑制部材９０によって妨げられることなく、視認することができる。
【実施例２】
【００５４】
以下において、実施例２における遊技機１について図面を参照しながら説明する。なお、以下においては、上述の実施例１との相違点についてのみ説明する。
【００５５】
すなわち、上述の実施例１における遊技機１において、振動抑制部材９０Ｌ，９０Ｃ，９０Ｒは、リール３Ｌ，３Ｃ，３Ｒの外周面にそれぞれ接するように、筐体１Ａの内部に設けられた取付板８０Ｌ，８０Ｃ，８０Ｒに固定されているのに対し、本実施例における遊技機１においては、振動抑制部材９０が、前面扉１Ｂを閉じた際にリール３Ｌ，３Ｃ，３Ｒの外周面にそれぞれ接するように、前面扉１Ｂに固定されているものとする。また、振動抑制部材９０は、一体的に形成されているものとする。具体的には、以下に示す通りである。
【００５６】
図６は、本実施例における遊技機１の内部構造を示す図である。同図に示すように、振動抑制部材９０は、前面扉１Ｂを閉じた際にリール３Ｌ，３Ｃ，３Ｒの外周面に接する位置であって、前面扉１Ｂの正面側から表示窓４を介して視認できない位置に固定されている。なお、振動抑制部材９０は、リール３Ｌ，３Ｃ，３Ｒの回転を停止する際に発生する振動を抑制可能であって、リール３Ｌ，３Ｃ，３Ｒの外周面の汚れを拭き取ることができる軟性部材（例えば、スポンジ、ゴム、フェルト）によって形成されているものとする。また、振動抑制部材９０は、ボンドや接着剤などによって前面扉１Ｂに固定されているものとする。
【００５７】
本実施例において、振動抑制部材９０は、前面扉１Ｂに設けられた表示窓４Ｌ，４Ｃ，４Ｒの下側に固定されているが、これに限定されるものではなく、前面扉１Ｂを閉じた際にリール３Ｌ，３Ｃ，３Ｒに接する位置（例えば、表示窓４Ｌ，４Ｃ，４Ｒの上側）に固定されていればよい。
【００５８】
本実施例における遊技機１によれば、振動抑制部材９０が、前面扉１Ｂを閉じた際にリール３の外周面に接するように前面扉１Ｂに固定されていることによって、当選役に応じてリール３の回転が停止される際に発生する振動を抑制することができるとともに、遊技機１の稼働によって汚れてくるリール３の外周面をクリーニングすることができる。
【００５９】
また、本実施例における遊技機１によれば、振動抑制部材９０は、前面扉１Ｂに設けられている表示窓４から視認できないように固定されていることによって、遊技者は、リール３の外周面に付された複数の図柄（当選役）を、振動抑制部材９０によって妨げられることなく、視認することができる。
【図面の簡単な説明】
【００６０】
【図１】実施例１における遊技機１の外観を示す斜視図である。
【図２】実施例１における遊技機１の内部を示す図である。
【図３】実施例１におけるリールユニット３００の構成を示す斜視図である。
【図４】実施例１におけるリールユニット３００の構成を示す側面図である。
【図５】実施例１における遊技機１の制御回路の構成を示すブロック図である。
【図６】実施例２における遊技機１の内部を示す図である。
【符号の説明】
【００６１】
１…遊技機、１Ａ…筐体、１Ｂ…前面扉、２…パネル表示部、３…リール、３ｏ…回転軸、４…表示窓、５…液晶表示装置、５ａ…表示画面、６…スタートレバー、６Ｓ…スタートスイッチ、７Ｌ，７Ｃ，７Ｒ…停止ボタン、８ａ〜８ｅ…入賞ライン、９ａ，９ｂ，９ｃ…ＢＥＴランプ、１０…台座部、１１，１２…ＢＥＴスイッチ、１３…最大ＢＥＴスイッチ、１４…Ｃ／Ｐスイッチ、１５…メダル払出口、１６…メダル受け部、１７…表示ランプ、１８…払出表示部、１９…クレジット表示部、２０…ボーナス遊技情報表示部、２１Ｌ，２１Ｒ…スピーカ、２２…メダル投入口、２２Ｓ…投入メダルセンサ、２３…配当表パネル、３０…マイクロコンピュータ、３１…ＣＰＵ、３２…ＲＯＭ、３３…ＲＡＭ、３４…クロックパルス発生回路、３５…分周器、３６…乱数発生器、３７…サンプリング回路、３８…Ｉ／Ｏポート、３９…モータ駆動回路、４０…ホッパー、４０Ｓ…メダル検出部、４１…ホッパー駆動回路、４２…メダル補助収納庫、４４…電源用ハウジング、４５…ランプ駆動回路、４６…リール停止信号回路、４８…表示部駆動回路、４９…ステッピングモータ、４９ｏ…駆動軸、５０…リール位置検出回路、５１…払出完了信号回路、５５…アーム、５６…筒状部材、５８…位置検出センサ、５９…検出片、７１…出力側ギヤ、７２…入力側ギヤ、７５…主制御回路、７６…副制御回路、８０…取付板、８０ａ…底面板、９０…振動抑制部材、３００…リールユニット、７００…減速伝達機構
【図１】
2005237467.tif 000003
【図２】
2005237467.tif 000004
【図３】
2005237467.tif 000005
【図４】
2005237467.tif 000006
【図５】
2005237467.tif 000007
【図６】
2005237467.tif 000008